(57)【要約】【課題】人物が含まれた画像に基づいて有益な宛先情報をユーザに提供できる携帯端末装置、プログラムおよび携帯端末装置の制御方法を提供する。【解決手段】携帯電話機１は、表示部１３と、画像１０２を取得する取得部３１と、人物情報に対応付けて記憶部１２に記憶された通信先の機器の宛先情報の中から、取得部３１により取得された画像１０２に含まれる人物情報に対応する宛先情報を抽出する第１抽出部３２と、記憶部１２に記憶された宛先情報の中から、画像１０２に含まれる人物情報との間に所定の関係を有する人物情報に対応する宛先情報を抽出する第２抽出部３３と、第１抽出部３２および第２抽出部３３により抽出された宛先情報の中から何れかを選択するための選択画面を表示部１３に表示させる選択表示実行部３４と、を備える。【選択図】図２
2014165664.tif 000002
【特許請求の範囲】
【請求項１】
表示部と、
画像を取得する取得部と、
人物情報に対応付けて記憶部に記憶された通信先の機器の宛先情報の中から、前記取得部により取得された前記画像に含まれる人物情報に対応する宛先情報を抽出する第１抽出部と、
前記記憶部に記憶された前記宛先情報の中から、前記画像に含まれる人物情報との間に所定の関係を有する人物情報に対応する宛先情報を抽出する第２抽出部と、
前記第１抽出部および前記第２抽出部により抽出された宛先情報の中から何れかを選択するための選択画面を前記表示部に表示させる選択表示実行部と、を備える、
ことを特徴とする携帯端末装置。
【請求項２】
請求項１に記載の携帯端末装置において、
前記人物情報は、顔画像を含み、
前記第１抽出部は、前記画像に含まれる顔画像に対応する宛先情報を抽出する、
ことを特徴とする携帯端末装置。
【請求項３】
請求項１または２に記載の携帯端末装置において、
前記通信先の機器との間で通信を行うための通信部と、
前記選択画面にて選択された宛先情報に対応する前記通信先の機器へ、前記通信部を介して前記画像を送信するための処理を行う送信処理実行部と、をさらに備える、
ことを特徴とする携帯端末装置。
【請求項４】
請求項３に記載の携帯端末装置において、
前記宛先情報は、前記通信先の機器へメッセージ送信を行うための情報を含み、
前記送信処理実行部は、前記選択画面にて選択された宛先情報が入力され、前記画像が添付されたメッセージ作成画面を前記表示部に表示する、
ことを特徴とする携帯端末装置。
【請求項５】
請求項３に記載の携帯端末装置において、
前記通信部は、前記通信先の機器との間で近距離無線通信を行うための近距離通信部を含み、
前記宛先情報は、前記近距離無線通信を行うための情報を含み、
前記送信処理実行部は、前記選択画面にて選択された宛先情報に対応する前記通信先の機器へ前記近距離無線通信により前記画像を送信する、
ことを特徴とする携帯端末装置。
【請求項６】
請求項１ないし５の何れか一項に記載の携帯端末装置において、
前記人物情報は、グループ情報を含み、
前記第２抽出部は、前記画像に含まれる人物情報に属するグループ情報と同じグループ情報に対応する宛先情報を、前記所定の関係を有する人物情報に対応する宛先情報として抽出する、
ことを特徴とする携帯端末装置。
【請求項７】
請求項１ないし６の何れか一項に記載の携帯端末装置において、
前記記憶部には、前記携帯端末装置と前記通信先の機器との間の通信履歴が記憶され、
前記第２抽出部は、前記携帯端末装置と前記画像に含まれる人物情報に対応する宛先情報の前記通信先の機器との間の前記通信履歴に、宛先として所定頻度を超える頻度で含まれる人物情報に対応する宛先情報を、前記所定の関係を有する人物情報に対応する宛先情
報として抽出する、
ことを特徴とする携帯端末装置。
【請求項８】
表示部を備える携帯端末装置のコンピュータに、
画像を取得する機能と、
人物情報に対応付けて記憶部に記憶された通信先の機器の宛先情報の中から、取得された前記画像に含まれる人物情報に対応する宛先情報を抽出する機能と、
前記記憶部に記憶された前記宛先情報の中から、前記画像に含まれる人物情報との間に所定の関係を有する人物情報に対応する宛先情報を抽出する機能と、
抽出された宛先情報の中から何れかを選択するための選択画面を前記表示部に表示させる機能と、
を付与するプログラム。
【請求項９】
表示部を備える携帯端末装置の制御方法であって、
画像を取得するステップと、
人物情報に対応付けて記憶部に記憶された通信先の機器の宛先情報の中から、取得された前記画像に含まれる人物情報に対応する宛先情報を抽出するとともに、前記記憶部に記憶された前記宛先情報の中から、前記画像に含まれる人物情報との間に所定の関係を有する人物情報に対応する宛先情報を抽出するステップと、
抽出された宛先情報の中から何れかを選択するための選択画面を前記表示部に表示させるステップと、
を含む制御方法。
【発明の詳細な説明】
【技術分野】
【０００１】
本発明は、携帯電話機、ＰＤＡ（Personal Digital Assistant）、タブレットＰＣ（Tablet PC）、電子書籍端末等の携帯端末装置に関する。また、本発明は、かかる携帯端末装置に用いて好適なプログラムおよび制御方法に関する。
【背景技術】
【０００２】
従来、画像から顔認識技術を用いて顔画像を抽出し、抽出した顔画像の特徴点を表す情報から特定された人物の電子メールアドレスをテーブルメモリより取得して、取得した電子メールアドレスを有する通信機器へ画像を送信するデジタルカメラが知られている（特許文献１参照）。
【先行技術文献】
【特許文献】
【０００３】
【特許文献１】特開２００７−１０２６８３号公報
【発明の概要】
【発明が解決しようとする課題】
【０００４】
上記デジタルカメラでは、取得される電子メールアドレスは、画像に含まれる人物（人物が所有する通信機器）の電子メールアドレスに限られる。このため、画像に含まれる人物に関係する人物に画像を送信する場合、たとえば、画像に含まれる人物がユーザの友人であるときにユーザの別の友人に画像を送信する場合、ユーザは、別途、その友人の電子メールアドレスを手入力しなければならない。デジタルカメラに電話帳の機能（アプリケーション）が備えられている場合であっても、別途、電話帳からその友人の電子メールアドレスを取得する操作を行わなければならない。このような操作は、ユーザにとって面倒である。
【０００５】
本発明は、人物が含まれた画像に基づいて有益な宛先情報をユーザに提供できる携帯端末装置、プログラム、携帯端末装置の制御方法を提供することを目的とする。
【課題を解決するための手段】
【０００６】
本発明の第１の態様に係る携帯端末装置は、表示部と、画像を取得する取得部と、人物情報に対応付けて記憶部に記憶された通信先の機器の宛先情報の中から、前記取得部により取得された前記画像に含まれる人物情報に対応する宛先情報を抽出する第１抽出部と、前記記憶部に記憶された前記宛先情報の中から、前記画像に含まれる人物情報との間に所定の関係を有する人物情報に対応する宛先情報を抽出する第２抽出部と、前記第１抽出部および前記第２抽出部により抽出された宛先情報の中から何れかを選択するための選択画面を前記表示部に表示させる選択表示実行部と、を備える。
【０００７】
本態様に係る携帯端末装置において、前記人物情報は、顔画像を含み得る。この場合、前記第１抽出部は、前記画像に含まれる顔画像に対応する宛先情報を抽出する。
【０００８】
本態様に係る携帯端末装置は、前記通信先の機器との間で通信を行うための通信部と、前記選択画面にて選択された宛先情報に対応する前記通信先の機器へ、前記通信部を介して前記画像を送信するため処理を行う送信処理実行部と、をさらに備えるような構成とされ得る。
【０００９】
このような構成とされた場合、前記宛先情報は、前記通信先の機器へメッセージ送信を
行うための情報を含み得る。この場合、前記送信処理実行部は、前記選択画面にて選択された宛先情報が入力され、前記画像が添付されたメッセージ作成画面を前記表示部に表示する。
【００１０】
あるいは、上記のような構成とされた場合、前記通信部は、前記通信先の機器との間で近距離無線通信を行うための近距離通信部を含み得る。また、前記宛先情報は、前記近距離無線通信を行うための情報を含み得る。この場合、前記送信処理実行部は、前記選択画面にて選択された宛先情報に対応する前記通信先の機器へ前記近距離無線通信により前記画像を送信する。
【００１１】
本態様に係る携帯端末装置において、前記人物情報は、グループ情報を含み得る。この場合、前記第２抽出部は、前記画像に含まれる人物情報に属するグループ情報と同じグループ情報に対応する宛先情報を、前記所定の関係を有する人物情報に対応する宛先情報として抽出する。
【００１２】
本態様に係る携帯端末装置において、前記記憶部には、前記携帯端末装置と前記通信先の機器との間の通信履歴が記憶され得る。この場合、前記第２抽出部は、前記携帯端末装置と前記画像に含まれる人物情報に対応する宛先情報の前記通信先の機器との間の前記通信履歴に、宛先として所定頻度を超える頻度で含まれる人物情報に対応する宛先情報を、前記所定の関係を有する人物情報に対応する宛先情報として抽出する。
【００１３】
本発明の第２の態様に係るプログラムは、表示部を備える携帯端末装置のコンピュータに、画像を取得する機能と、人物情報に対応付けて記憶部に記憶された通信先の機器の宛先情報の中から、取得された前記画像に含まれる人物情報に対応する宛先情報を抽出する機能と、前記記憶部に記憶された前記宛先情報の中から、前記画像に含まれる人物情報との間に所定の関係を有する人物情報に対応する宛先情報を抽出する機能と、抽出された宛先情報の中から何れかを選択するための選択画面を前記表示部に表示させる機能と、を付与する。
【００１４】
本発明の第３の態様は、表示部を備える携帯端末装置の制御方法に関する。本態様に係る制御方法は、画像を取得するステップと、人物情報に対応付けて記憶部に記憶された通信先の機器の宛先情報の中から、取得された前記画像に含まれる人物情報に対応する宛先情報を抽出するとともに、前記記憶部に記憶された前記宛先情報の中から、前記画像に含まれる人物情報との間に所定の関係を有する人物情報に対応する宛先情報を抽出するステップと、抽出された宛先情報の中から何れかを選択するための選択画面を前記表示部に表示させるステップと、を含む。
【発明の効果】
【００１５】
本発明によれば、人物が含まれた画像に基づいて有益な宛先情報をユーザに提供できる携帯端末装置、プログラム、携帯端末装置の制御方法を提供することができる。
【００１６】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００１７】
【図１】実施の形態に係る、携帯電話機の構成を示す図である。
【図２】実施の形態に係る、携帯電話機の全体構成を示すブロック図である。
【図３】実施の形態に係る、電話帳テーブルの構成を示す図である。
【図４】実施の形態に係る、画像送信・編集処理を示すフローチャートである。
【図５】実施の形態に係る、画像送信・編集処理を示すフローチャートである。
【図６】実施の形態に係る、画像送信・編集処理に含まれるメッセージ送信処理を示すフローチャートである。
【図７】実施の形態に係る、メッセージ送信処理が行われる場合の画面遷移を示す図である。
【図８】実施の形態に係る、画像送信・編集処理に含まれるブルートゥース送信処理を示すフローチャートである。
【図９】実施の形態に係る、ブルートゥース送信処理が行われる場合の画面遷移を示す図である。
【図１０】実施の形態に係る、画像送信・編集処理に含まれる画像編集処理を示すフローチャートである。
【図１１】実施の形態に係る、画像編集処理が行われる場合の画面遷移を示す図である
【図１２】変更例１に係る、携帯電話機の全体構成を示すブロック図である。
【図１３】変更例１に係る、メッセージ送信処理およびブルートゥース送信処理を示すフローチャートである。
【図１４】変更例２に係る、メッセージ送信処理およびブルートゥース送信処理を示すフローチャートである。
【図１５】変更例３に係る、メッセージ送信処理およびブルートゥース送信処理を示すフローチャートである。
【発明を実施するための形態】
【００１８】
以下、本発明の実施の形態について、図面を参照して説明する。
【００１９】
図１は、携帯電話機１の構成を示す図である。図１（ａ）および（ｂ）は、それぞれ、携帯電話機１の正面図および背面図である。
【００２０】
以下、説明の便宜上、図１に示すように、キャビネット２の長手方向を上下方向と定義し、キャビネット２の短手方向を左右方向と定義する。
【００２１】
携帯電話機１は、キャビネット２と、表示面３と、マイクロフォン４と、通話スピーカ５と、キー操作部６と、外部スピーカ７とを備えている。
【００２２】
キャビネット２は、正面から見て、略長方形状の輪郭を有する。キャビネット２の正面に、後述する表示部１３の表示面３が配されている。表示面３には、各種の画像（画面）が表示される。
【００２３】
キャビネット２の内部には、下端部にマイクロフォン４が配されており、上端部に通話スピーカ５が配されている。マイクロフォン４には、キャビネット２の正面に形成されたマイク孔４ａを通じて音声が入力される。マイクロフォン４は、入力した音に応じた電気信号を生成する。通話スピーカ５からは、音声が出力される。出力された音声は、キャビネット２の正面に形成された出力孔５ａを通じて外部に放出される。
【００２４】
キャビネット２の正面には、キー操作部６が設けられている。キー操作部６は、設定キー６ａ、ホームキー６ｂ、およびバックキー６ｃから構成されている。設定キー６ａは、主に、各種設定を行う設定画面を表示面３に表示させるためのキーである。ホームキー６ｂは、主に、ホーム画面を表示面３に表示させるためのキーである。バックキー６ｃは、主に、実行された処理を１ステップ前の処理に戻すためのキーである。
【００２５】
キャビネット２の内部には、外部スピーカ７が配されている。キャビネット２の背面には、外部スピーカ７に対応する出力孔７ａが形成されている。外部スピーカ７から出力さ
れた音（音声、報知音等）は、出力孔７ａを通じて外部に放出される。
【００２６】
図２は、携帯電話機１の全体構成を示すブロック図である。携帯電話機１は、制御部１１と、記憶部１２と、表示部１３と、タッチ検出部１４と、音声入力部１５と、音声出力部１６と、音声処理部１７と、キー入力部１８と、通信部１９と、撮影部２０とを備えている。
【００２７】
記憶部１２は、ＲＯＭ、ＲＡＭ、外部メモリー等から構成される。記憶部１２には、各種のプログラムが記憶されている。記憶部１２に記憶されるプログラムは、携帯電話機１の各部を制御するための制御プログラムの他、各種アプリケーション（たとえば、電話、電子メール、電話帳、地図、ゲーム、スケジュール管理等）を含む。プログラムは、メーカによって携帯電話機１の製造時に記憶部１２に記憶される他、ユーザによって通信網やメモリカード等の記憶媒体を介して記憶部１２に記憶される。
【００２８】
記憶部１２には、プログラムの実行の際、一時的に利用または生成されるデータを記憶する図示しないワーキング領域も含まれる。
【００２９】
制御部１１は、ＣＰＵ等から構成されている。制御部１１は、プログラムに従って、携帯電話機１を構成する各部（記憶部１２、表示部１３、タッチ検出部１４、音声入力部１５、音声出力部１６、音声処理部１７、キー入力部１８、通信部１９、撮影部２０等）を制御する。
【００３０】
表示部１３は、液晶ディスプレイ等から構成される。表示部１３は、制御部１１からの制御信号と画像信号に基づき、表示面３に画像（画面）を表示する。表示部１３は、液晶ディスプレイに限らず、有機ＥＬディスプレイ等、他の表示装置から構成されてもよい。
【００３１】
タッチ検出部１４は、表示面３への指の接触を検出するタッチパネル等から構成されている。タッチパネルは、透明なシート状に形成され、表示面３上を覆いキャビネット２の正面に配される。タッチパネルは、静電容量式、超音波式、感圧式、抵抗膜式、光検知式等、各種方式のタッチパネルであってよい。
【００３２】
タッチ検出部１４は、前記表示面３へのユーザによるタッチ操作を受け付ける。即ち、タッチ検出部１４は、指が触れた表示面３上の位置、即ちタッチ位置を検出し、検出したタッチ位置に応じた位置信号を制御部１１へ出力する。
【００３３】
ユーザは、表示面３に指を触れることにより各種のタッチ操作を行うことができる。タッチ操作の種類として、タップ操作、フリック操作、スライド操作等が挙げられる。タップ操作は、ユーザが表示面３に指を接触させた後、短時間のうちに表示面３より指を離す操作である。フリック操作は、ユーザが表示面３を指で任意の方向に弾く操作である。スライド操作は、ユーザが指を表示面３に接触させたまま任意の方向へ移動させる操作である。フリック操作およびスライド操作は、タッチ位置の移動を伴うタッチ操作である。
【００３４】
タッチ操作についてより具体的に説明する。たとえば、タッチ検出部１４により表示面３に対するタッチ位置が検出された後、予め定めた第１時間以内にタッチ位置が検出されなくなった場合、制御部１１によりタップ操作がなされたと判定される。タッチ検出部１４により表示面３に対するタッチ位置が検出され、予め定めた第２時間以内に予め定めた第１距離以上タッチ位置が移動した後、タッチ位置が検出されなくなった場合、制御部１１によりフリック操作がなされたと判定される。タッチ検出部１４により表示面３に対するタッチ位置が検出された後、予め定めた第２距離以上タッチ位置が移動すると、制御部１１によりスライド操作がなされたと判定される。
【００３５】
音声入力部１５は、マイクロフォン４等から構成される。音声入力部１５は、マイクロフォン４からの電気信号を音声処理部１７へ出力する。
【００３６】
音声出力部１６は、通話スピーカ５および外部スピーカ７を含む。音声出力部１６には、音声処理部１７からの電気信号が入力され、通話スピーカ５または外部スピーカ７から音（音声、報知音等）が出力される。
【００３７】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００３８】
キー入力部１８は、キー操作部６の各操作キーが押下されたときに、押下された操作キーに応じた信号を制御部１１へ出力する。
【００３９】
通信部１９は、通話や通信を行うため、信号を変換するための回路、電波を送受信するアンテナ等を備える。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００４０】
通信部１９は、近距離無線通信規格であるブルートゥース（Bluetooth：登録商標）による通信を他の通信機器との間で行うための近距離通信部１９ａを含む。他の通信機器との間で、ブルートゥース通信を行うためには機器間での通信認証を確立するためのペアリングが必要となる。携帯電話機１と他の通信機器との間でそれぞれパスキー（認証鍵）が入力され、ペアリングが完了すると、次回の接続時には、パスキーが用いられることにより、携帯電話機１と通信機器との間に自動的にブルートゥース通信のための通信路が確立される。ペアリングが行われた通信機器はtrusted Deviceとして登録され、その通信機器のパスキーおよび識別番号が、記憶部１２内の登録テーブル（図示せず）に登録される。
【００４１】
撮影部２０は、被写体を撮像するＣＣＤ、ＣＭＯＳセンサ等の撮像素子、撮像素子から出力された信号にＡ／Ｄ変換を施すＡ／Ｄ変換回路、Ａ／Ｄ変換が施された後の信号にガンマ補正等の補正を適用する補正回路等から構成される。撮影部２０は、撮影により生成した画像を示すデジタル信号、即ち画像データを、制御部１１へ送信する。
【００４２】
記憶部１２には、図３に示す電話帳テーブル１２ａが記憶されている。電話帳テーブル１２ａには、通信相手となる人物の連絡先情報が登録されている。連絡先情報は、名前、住所、人物に関連する登録画像、人物が属するグループ（会社、家族、友人等）、人物の顔画像を含むマスター画像等の人物情報と、電話番号、メールアドレス、パスキー等の人物が所有する通信機器の宛先情報とを含む。個々の連絡先情報には登録番号が付されている。
【００４３】
マスター画像に含まれる顔画像は、後述する画像送信・編集処理において、ユーザにより選択された画像に含まれる顔画像とのマッチングに用いられる。パスキーは、上述したブルートゥース通信に用いられる。
【００４４】
連絡先情報としてユーザにより入力された情報が電話帳テーブル１２ａに登録される。連絡先情報に含まれる情報のうち、ユーザにより入力されなかった情報は、電話帳テーブル１２ａに登録されない。たとえば、電話番号が入力されなければ、電話帳テーブル１２
ａに電話番号が登録されない。
【００４５】
記憶部１２内に設定された画像フォルダには、撮影部２０により撮影された画像（画像データ）や通信部１９を介して他の通信機器、ウェブサイト等から取得した画像が保存されている。ユーザは、画像フォルダ内に保存された、人物が撮影された画像を、画像に含まれる人物（人物が所有する通信機器）へ送信する場合がある。このとき、画像に含まれる人物だけでなく、その人物に関係する人物、たとえば、その人物がユーザの友人であるときにユーザの別の友人へ送信する場合が考えられる。
【００４６】
また、ユーザは、電話帳テーブル１２ａに登録された登録画像を、画像フォルダ内の所望の画像に変更する場合がある。
【００４７】
本実施の形態の携帯電話機１は、画像（サムネイル）の一覧画面から選択された画像を、電子メールやブルートゥースにより他の通信機器へ送信するための画像送信機能を備えている。かかる画像送信機能において、画像に含まれた人物およびその人物と所定の関係を有する人物の宛先情報（メールアドレス、パスキー等）が、画像に基づいて電話帳テーブル１２ａから抽出され、宛先候補の一覧からなる宛先選択ダイアログによりユーザに提供される。ユーザは、宛先選択ダイアログから所望の宛先を選択することにより、選択された宛先の通信機器へ画像を送信することができる。
【００４８】
また、本実施の形態の携帯電話機１は、電話帳テーブル１２ａに登録された登録画像を、一覧画面から選択された画像に変更する画像編集機能を有する。
【００４９】
制御部１１は、プログラムに従って、画像送信機能および画像編集機能に係る制御処理（以下、「画像送信・編集処理」という）を実行する。
【００５０】
制御部１１は、取得部３１と、第１抽出部３２と、第２抽出部３３と、選択表示実行部３４と、送信処理実行部３５を備える。取得部３１、第１抽出部３２、第２抽出部３３、選択表示実行部３４、送信処理実行部３５は、制御部１１によって実行されるプログラムの機能として実現される。
【００５１】
取得部３１は、一覧画面からユーザにより選択された画像を画像フォルダから取得する。
【００５２】
第１抽出部３２は、人物毎に記憶部１２の電話帳テーブル１２ａに記憶された宛先情報（メールアドレス、パスキー）の中から、取得部３１により取得された画像に含まれる人物（人物情報）に係る宛先情報、すなわち、取得された画像に含まれる顔画像に対応する宛先情報を抽出する。より具体的には、第１抽出部３２は、画像に含まれる顔画像と、宛先情報に対応付けられたマスター画像に含まれる顔画像とのマッチング結果に基づいて、画像に含まれる顔画像に対応する宛先情報を抽出する。
【００５３】
第２抽出部３３は、電話帳テーブル１２ａに記憶された宛先情報（メールアドレス、パスキー）の中から、画像に含まれる人物（人物情報）との間に所定の関係を有する人物（人物情報）に係る宛先情報を抽出する。より具体的には、第２抽出部３３は、画像に含まれる人物（人物情報）と電話帳テーブル１２ａにおいて同じグループに属する人物（人物情報）に係る宛先情報を、所定の関係を有する人物の宛先情報として抽出する。
【００５４】
選択表示実行部３４は、第１抽出部３２および第２抽出部３３により抽出された宛先情報の中から何れかを選択するための選択画面、即ち、後述する宛先選択ダイアログを含む閲覧画面を表示部１３に表示させる。
【００５５】
送信処理実行部３５は、選択画面にて選択された宛先情報に対応する通信機器へ通信部１９を介して画像を送信させるため処理を行う。より具体的には、送信処理実行部３５は、選択画面にて選択されたメールアドレスが入力され、画像が添付されたメッセージ作成画面を表示部１３に表示させる。あるいは、送信処理実行部３５は、ユーザにより選択されたパスキーに対応する通信機器へブルートゥース通信により画像を送信する。
【００５６】
図４および図５は、画像送信・編集処理を示すフローチャートである。図６は、画像送信・編集処理に含まれるメッセージ送信処理を示すフローチャートである。図７は、メッセージ送信処理が行われる場合の画面遷移を示す図である。図８は、画像送信・編集処理に含まれるブルートゥース送信処理を示すフローチャートである。図９は、ブルートゥース送信処理が行われる場合の画面遷移を示す図である。図１０は、画像送信・編集処理に含まれる画像編集処理を示すフローチャートである。図１１は、画像編集処理が行われる場合の画面遷移を示す図である。
【００５７】
ユーザによる所定の操作に基づいて、画像送信・編集処理が開始されると、制御部１１は、画像フォルダ内に保存された画像のサムネイル１０１を作成し、図７（ａ）に示すような、サムネイル１０１の一覧画面を表示面３に表示する（Ｓ１０１）。
【００５８】
ユーザは、一覧画面から所望の画像のサムネイル１０１を、タップ操作により選択する。一覧画面からサムネイル１０１が選択されると（Ｓ１０２：ＹＥＳ）、制御部１１（取得部３１）は、選択されたサムネイル１０１に対応する画像を画像ファイルから取得する（Ｓ１０３）。
【００５９】
制御部１１は、顔認識処理を実行することにより、取得した画像から顔画像を抽出する（Ｓ１０４）。たとえば、制御部１１は、取得した画像中の肌色を検出し、さらに、目、鼻、口などの特徴部分を画像の濃淡等に基づいて検出することにより、顔画像の抽出を行う。制御部１１は、画像中に顔画像が複数個あれば、全ての顔画像を抽出する。
【００６０】
次に、制御部１１は、抽出した顔画像に基づいて、画像に含まれる電話帳テーブル１２ａに登録された人物を特定する（Ｓ１０５）。たとえば、制御部１１は、顔画像から、その顔画像を特徴づけるためのパラメータを抽出する。たとえば、パラメータには、目、鼻、口などの各パーツの形状、各パーツ間の間隔の比率、肌の色等が挙げられる。さらに、制御部１１は、電話帳テーブル１２ａに登録された各マスター画像に含まれる顔画像から、同じくパラメータを抽出し、各マスター画像のパラメータと、画像から抽出した顔画像のパラメータとのマッチングを行う。そして、制御部１１は、マッチング率が所定の閾値を超えるマスター画像に対応する人物を、画像に含まれる人物として特定する。制御部１１は、画像に含まれる全ての人物を特定する。
【００６１】
制御部１１は、閲覧画面を表示面３に表示する（Ｓ１０６）。図７（ｂ）に示すように、閲覧画面は、ユーザの選択により画像ファイルから取得された画像１０２および選択オブジェクト１０３を含む。
【００６２】
制御部１１は、顔画像が認識されていることを示す四角の枠１０４を各顔画像上に表示するとともに、各顔画像に対応する名前１０５を電話帳テーブル１２ａから取得して、各顔画像の上部近傍に表示する（Ｓ１０７）。枠１０４および名前１０５は、表示後一定時間が経過するか所定の操作がなされると、閲覧画面上から消去されることが望ましい。
【００６３】
なお、サムネイル１０１が選択される前に（Ｓ１０２：ＮＯ）、戻し操作、即ち、バックキー６ｃを押下する操作がなされると（Ｓ１０８：ＹＥＳ）、制御部１１は、画像送信
・編集処理を終了し、一覧画面を閉じる。
【００６４】
制御部１１は、閲覧画面上の選択オブジェクト１０３に対する操作、たとえば、タップ操作がなされたか否かを判定する（Ｓ１０９）。制御部１１は、選択オブジェクト１０３が操作されたと判定すると（Ｓ１０９：ＹＥＳ）、メニュー選択ダイアログ１０６を閲覧画面上に表示する（Ｓ１１０）。図７（ｃ）に示すように、メニュー選択ダイアログ１０６は、「メッセージ」、「ブルートゥース」、「編集」の３つのメニュー１０６ａにより構成される。
【００６５】
選択オブジェクト１０３が操作されることなく（Ｓ１０９：ＮＯ）、戻し操作（バックキー６ｃの押下）がなされると（Ｓ１１１：ＹＥＳ）、制御部１１は、閲覧画面を閉じ、再び、一覧画面を表示面３に表示する（Ｓ１０１）。
【００６６】
ユーザは、閲覧画面の画像１０２を電子メールに添付して送信する場合、メニュー選択ダイアログ１０６の「メッセージ」のメニュー１０６ａを選択し、画像１０２をブルートゥースにより送信する場合、「ブルートゥース」のメニュー１０６ａを選択する。また、ユーザは、電話帳テーブル１２ａの登録画像を閲覧画面の画像１０２に変更したい場合、「編集」のメニュー１０６ａを選択する。
【００６７】
制御部１１は、何れかのメニュー１０６ａが選択されると（Ｓ１１２：ＹＥＳ）、３つのメニュー１０６ａの何れが選択されたのかを判定する（Ｓ１１３）。制御部１１は、「メッセージ」のメニュー１０６ａが選択された場合（Ｓ１１３：メッセージ送信）、メッセージ送信処理を実行する（Ｓ１１４）。制御部１１は、「ブルートゥース」のメニュー１０６ａが選択された場合（Ｓ１１３：ブルートゥース送信）、ブルートゥース送信処理を実行する（Ｓ１１５）。制御部１１は、「編集」のメニュー１０６ａが選択された場合（Ｓ１１３：画像編集）、画像編集処理を実行する（Ｓ１1６）。
【００６８】
なお、メニュー１０６ａが選択されないまま（Ｓ１１２：ＮＯ）、消去操作、たとえば、バックキー６ｃを押下する操作がなされると（Ｓ１１７：ＹＥＳ）、制御部１１は、メニュー選択ダイアログ１０６を閲覧画面上から消去する（Ｓ１１８）。
【００６９】
図６および図７を参照し、メッセージ送信処理について説明する。
【００７０】
図７（ｃ）に示すように、「メッセージ」のメニュー１０６ａが選択されると、メッセージ送信処理が開始される。制御部１１（第１抽出部３２）は、画像１０２に含まれる全ての人物に係るメールアドレスを電話帳テーブル１２ａから抽出する（Ｓ２０１）。画像１０２に含まれる人物のメールアドレスが電話帳テーブル１２ａに登録されていない場合は、その人物に係るメールアドレスは抽出されない。
【００７１】
次に、制御部１１（第２抽出部３３）は、画像１０２の最も中央に近い人物と電話帳テーブル１２ａにおいて同じグループに属する人物のメールアドレスを、電話帳テーブル１２ａから抽出する（Ｓ２０２）。たとえば、画像１０２の最も中央に近い人物の属するグループが、「友人」である場合、「友人」のグループに属する人物に係るメールアドレスが抽出される。
【００７２】
制御部１１（選択表示実行部３４）は、電話帳テーブル１２ａから抽出された全てのメールアドレスの中からユーザが何れかを選択するため、宛先選択ダイアログ１０７を、メニュー選択ダイアログ１０６に替えて、閲覧画面上に表示する（Ｓ２０３）。
【００７３】
図７（ｄ）に示すように、宛先選択ダイアログ１０７は、各メールアドレスに対応する
宛先候補１０７ａおよび確定ボタン１０７ｂにより構成される。各宛先候補１０７ａには、チェックボックス１０７ｃが設けられているとともに、各メールアドレスを保有する人物の名前１０７ｄが表示されている。宛先選択ダイアログ１０７の宛先候補１０７ａには、画像１０２に含まれる人物に係るメールアドレスだけでなく、画像１０２に含まれる人物と所定の関係する人物、ここでは、画像１０２の最も中央に近い人物と同じグループに属する人物に係るメールアドレスが含まれる。
【００７４】
ユーザは、宛先選択ダイアログ１０７から所望の宛先候補１０７ａを、タップ操作により選択する。
【００７５】
制御部１１は、何れかの宛先候補１０７ａが選択されると（Ｓ２０４：ＹＥＳ）、選択された宛先候補１０７ａに対応するメールアドレスを、画像１０２の送信先のメールアドレスとして設定する（Ｓ２０５）。制御部１１は、図７（ｅ）に示すように、選択された宛先候補１０７ａのチェックボックス１０７ｃにチェックマークを表示する。
【００７６】
制御部１１は、確定操作、即ち、確定ボタン１０７ｂに対するタップ操作がなされたか否を判定する（Ｓ２０６）。ユーザは、宛先候補１０７ａの選択が完了すると、図７（ｅ）に示すように、確定ボタン１０７ｂに対するタップ操作を行う。
【００７７】
制御部１１は、確定操作がなされたと判定すると（Ｓ２０６：ＹＥＳ）、メールアドレスが設定されているか否かを判定する（Ｓ２０７）。制御部１１は、メールアドレスが設定されていなければ（Ｓ２０７：ＮＯ）、メールアドレスが設定されていない旨の報知を行う（Ｓ２０８）。たとえば、制御部１１は、閲覧画面上にメールアドレスが設定されていな旨のメッセージを表示する。
【００７８】
制御部１１（送信処理実行部３５）は、少なくとも一つのメールアドレスの設定があれば（Ｓ２０７：ＹＥＳ）、電子メールのメール作成画面を表示面３に表示する（Ｓ２０９）。このとき、図７（ｆ）に示すように、制御部１１（送信処理実行部３５）は、設定された全てのメールアドレスをアドレス入力領域Ｒ１に入力する。さらに、制御部１１（送信処理実行部３５）は、この電子メールに画像１０２を添付し、添付領域Ｒ４に、添付された画像１０２に対応するサムネイル１０１を表示する。こうして、メッセージ送信処理が終了する。
【００７９】
その後、ユーザによる所定の入力操作により、タイトル領域Ｒ２にはタイトル、本文領域Ｒ３にはメール本文が、それぞれ入力される。そして、ユーザにより所定の送信操作がなされると、入力されたメールアドレスを有する通信機器へ電子メールに添付された状態で画像１０２が送信される。
【００８０】
なお、確定操作が行われることなく、消去操作、たとえば、バックキー６ｃを押下する操作がなされると（Ｓ２１０：ＹＥＳ）、制御部１１は、宛先選択ダイアログ１０７を消去し（Ｓ２１１）、メッセージ送信処理を終了する。
【００８１】
図８および図９を参照し、ブルートゥース送信処理について説明する。
【００８２】
図９（ａ）に示すように、「ブルートゥース」のメニュー１０６ａが選択されると、ブルートゥース送信処理が開始される。制御部１１（第１抽出部３２）は、画像１０２に含まれる全ての人物に係るパスキーを電話帳テーブル１２ａから抽出する（Ｓ３０１）。画像１０２に含まれる人物のパスキーが電話帳テーブル１２ａに登録されていない場合は、その人物に係るパスキーは抽出されない。
【００８３】
次に、制御部１１（第２抽出部３３）は、画像１０２の最も中央に近い人物と電話帳テーブル１２ａにおいて同じグループ（たとえば、「友人」）に属する人物のパスキーを、電話帳テーブル１２ａから抽出する（Ｓ３０２）。
【００８４】
制御部１１（選択表示実行部３４）は、電話帳テーブル１２ａから抽出された全てのパスキーの中からユーザが何れかを選択するために、宛先選択ダイアログ１０８を、閲覧画面上に表示する（Ｓ３０３）。
【００８５】
図９（ｂ）に示すように、宛先選択ダイアログ１０８は、メッセージ送信処理における宛先選択ダイアログ１０７と同様な構成であり、各パスキーに対応する宛先候補１０８ａおよび確定ボタン１０８ｂにより構成される。各宛先候補１０８ａは、チェックボックス１０８ｃおよび各パスキーを保有する人物の名前１０８ｄの表示を含む。宛先選択ダイアログ１０８の宛先候補１０８ａには、画像１０２に含まれる人物に係るパスキーだけでなく、画像１０２に含まれる人物と所定の関係する人物、ここでは、画像１０２の最も中央に近い人物と同じグループに属する人物に係るパスキーが含まれる。
【００８６】
図９（ｃ）に示すように、ユーザは、宛先選択ダイアログ１０８から所望の宛先候補１０８ａを選択し、確定操作を行う。
【００８７】
制御部１１は、何れかの宛先候補１０８ａが選択されると（Ｓ３０４：ＹＥＳ）、選択された宛先候補１０８ａに対応するパスキーを、画像１０２の送信先のパスキーとして設定する（Ｓ３０５）。制御部１１は、確定操作（確定ボタン１０８ｂの押下）がなされたと判定すると（Ｓ３０６：ＹＥＳ）、パスキーが設定されているか否かを判定する（Ｓ３０７）。制御部１１は、パスキーが設定されていなければ（Ｓ３０７：ＮＯ）、メッセージ送信処理と同様な方法により、パスキーが設定されていない旨の報知を行う（Ｓ３０８）。
【００８８】
制御部１１（送信処理実行部３５）は、少なくとも一つのパスキーの設定があれば（Ｓ３０７：ＹＥＳ）、画像１０２を、設定されたパスキーを有する通信機器へブルートゥースにより送信する（Ｓ３０９）。図９（ｄ）に示すように、制御部１１（送信処理実行部３５）は、ブルートゥースによる送信中、送信画面を表示面３に表示する。たとえば、送信画面は、送信の進捗状況を示すプログレスバー１０９ａと、選択されたパスキーに対応する人物へ画像１０２の送信が行われていることを通知するメッセージ１０９ｂとが表示された送信ウィンドウ１０９を含む。画像１０２の送信が完了すると、ブルートゥース送信処理が終了する。
【００８９】
なお、確定操作が行われることなく、消去操作がなされると（Ｓ３１０：ＹＥＳ）、制御部１１は、宛先選択ダイアログ１０８を消去し（Ｓ３１１）、ブルートゥース送信処理を終了する。
【００９０】
図１０および図１１を参照し、画像編集処理について説明する。
【００９１】
図１１（ａ）に示すように、「編集」のメニュー１０６ａが選択されると、画像編集処理が開始される。制御部１１は、画像１０２に含まれる全ての人物に係る登録画像を電話帳テーブル１２ａから抽出する（Ｓ４０１）。画像１０２に含まれる人物の登録画像が電話帳テーブル１２ａに登録されていない場合は、その人物に係る登録画像は抽出されない。
【００９２】
次に、制御部１１は、電話帳テーブル１２ａから抽出された全ての登録画像の中からユーザが何れかを選択するために、画像選択ダイアログ１１０を、閲覧画面上に表示する（
Ｓ４０２）。
【００９３】
図１１（ｂ）に示すように、画像選択ダイアログ１１０は、各登録画像に対応する変更候補１１０ａおよび確定ボタン１１０ｂにより構成される。各変更候補１１０ａは、チェックボックス１１０ｃおよび各登録画像の人物の名前１１０ｄの表示を含む。図１１（ｃ）に示すように、ユーザは、画像選択ダイアログ１１０から所望の変更候補１１０ａを選択し、確定操作を行う。
【００９４】
制御部１１は、何れかの変更候補１１０ａが選択されると（Ｓ４０３：ＹＥＳ）、選択された変更候補１１０ａに対応する登録画像を、変更対象として設定する（Ｓ４０４）。制御部１１は、確定操作（確定ボタン１１０ｂの押下）がなされたと判定すると（Ｓ４０５：ＹＥＳ）、変更対象が設定されているか否かを判定する（Ｓ４０６）。制御部１１は、変更対象が設定されていなければ（Ｓ４０６：ＮＯ）、メッセージ送信処理と同様な方法により、変更対象が設定されていない旨の報知を行う（Ｓ４０７）。
【００９５】
制御部１１は、少なくとも一つの変更対象の設定があれば（Ｓ４０６：ＹＥＳ）、変更対象に設定された登録画像を画像１０２に変更する（Ｓ４０８）。即ち、制御部１１は、変更対象の登録画像に替えて、画像１０２を電話帳テーブル１２ａに登録する。図１１（ｄ）に示すように、制御部１１は、一定時間、登録画像が変更されたことを通知する通知ウィンドウ１１１を表示面３に表示する。
【００９６】
なお、確定操作が行われることなく、消去操作がなされると（Ｓ４０９：ＹＥＳ）、制御部１１は、画像選択ダイアログ１１０を消去し（Ｓ４１０）、画像編集処理を終了する。
【００９７】
図５に示すように、メッセージ送信処理、ブルートゥース送信処理、または、画像編集処理が終了すると、制御部１１は、これら処理の終了が消去操作によるものでない場合（Ｓ１１９：ＮＯ）、画像送信・編集処理を終了する。一方、制御部１１は、メッセージ送信処理、ブルートゥース送信処理、または、画像編集処理の終了が消去操作によるものである場合（Ｓ１１９：ＮＯ）、ステップＳ１０９の処理に戻って、選択オブジェクト１０３に対する操作を監視する。
【００９８】
以上、本実施の形態によれば、ユーザにより画像１０２が選択されることにより、画像１０２に含まれる人物に係る宛先情報（メールアドレス、パスキー）と画像１０２に含まれる人物と所定の関係を有する人物（同じグループに属する人物）に係る宛先情報とが、宛先候補として抽出され、表示面３に表示される。よって、人物が含まれる画像に基づいて有益な宛先情報が宛先候補としてユーザに自動的に提供される。そのため、ユーザは、宛先候補の中から所望の人物の宛先情報を選択することにより、所望の人物へ簡易に画像を送信することが可能となる。
【００９９】
さらに、本実施の形態によれば、ユーザにより画像１０２が選択されることにより、画像１０２に含まれる人物に係る登録画像が、変更候補として抽出され、表示面３に表示される。ユーザは、提供された変更候補の中から所望の登録画像を選択することにより、その登録画像を画像１０２に変更することができる。よって、ユーザは、簡易な操作により登録画像の変更が可能となる。
【０１００】
＜変更例１＞
上記実施の形態では、画像１０２に含まれる人物と電話帳テーブル１２ａにおいて同じグループに属する人物が、画像１０２に含まれる人物と所定の関係を有する人物とされ、これら人物に係る宛先情報（メールアドレス、パスキー）が第２抽出部３３により抽出さ
れる。
【０１０１】
変更例１では、以下に説明する通り、ユーザと画像１０２に含まれる人物との間で送受信された電子メールに宛先として含まれることの多い人物が、画像１０２に含まれる人物に関係する人物とされ、これら人物に係る宛先情報が第２抽出部３３により抽出される。
【０１０２】
図１２は、本変更例に係る、携帯電話機１の全体構成を示すブロック図である。
【０１０３】
記憶部１２には、メール履歴テーブル１２ｂが記憶されている。メール履歴テーブル１２ｂには、一定期間に携帯電話機１が送受信した電子メールの情報（日時、メールアドレス、タイトル、本文等）が記憶されている。本変更例に係る携帯電話機１のその他の構成は、上記実施の形態と同様である。
【０１０４】
図１３（ａ）は、本変更例に係る、メッセージ送信処理を示すフローチャートである。本変更例のメッセージ送信処理では、図６に示すメッセージ送信処理のステップＳ２０２の処理がステップＳ２２２の処理に置き換えられている。その他の処理は、図６に示すメッセージ送信処理と同様である。図１３（ａ）には、置き換えられた処理を含む、一部の処理のみが示されている。
【０１０５】
制御部１１（第２抽出部３３）は、ステップＳ２２２において、メール履歴テーブル１２ｂに記憶された電子メールのうち、ユーザ（携帯電話機１）と画像１０２の最も中央に近い人物（人物が所有する通信機器）との間で送受信された電子メールに所定頻度を超える頻度、たとえば、１０％を超える頻度で宛先として含まれる人物に係るメールアドレスを、電話帳テーブル１２ａから抽出する。具体的には、制御部１１（第２抽出部３３）は、ユーザと画像１０２の最も中央に近い人物との間で送受信された電子メールに所定頻度を超える頻度で含まれるメールアドレスを検出し、検出したメールアドレスに一致するメールアドレスを電話帳テーブル１２ａから抽出する。
【０１０６】
制御部１１（選択表示実行部３４）は、ステップ２０３において、宛先選択ダイアログ１０７を表示する。宛先選択ダイアログ１０７を構成する宛先候補１０７ａには、画像１０２に含まれる人物に係るメールアドレスだけでなく、ユーザと画像１０２の最も中央に近い人物との間で送受信された電子メールに宛先として多く含まれる人物に係るメールアドレスが含まれる。
【０１０７】
図１３（ｂ）は、本変更例に係る、ブルートゥース送信処理を示すフローチャートである。本変更例のブルートゥース送信処理では、図８に示すブルートゥース送信処理のステップＳ３０２の処理がステップＳ３２２の処理に置き換えられている。その他の処理は、図８に示すブルートゥース送信処理と同様である。図１３（ｂ）には、置き換えられた処理を含む、一部の処理のみが示されている。
【０１０８】
本変更例では、制御部１１（第２抽出部３３）は、ステップＳ３２２において、メール履歴テーブル１２ｂに記憶された電子メールのうち、ユーザと画像１０２の最も中央に近い人物との間で送受信された電子メールに所定頻度を超える頻度で宛先として含まれる人物に係るパスキーを、電話帳テーブル１２ａから抽出する。具体的には、制御部１１（第２抽出部３３）は、ユーザと画像１０２の最も中央に近い人物との間で送受信された電子メールに所定頻度を超える頻度で含まれるメールアドレスを検出し、検出したメールアドレスと対応付けられているパスキーを電話帳テーブル１２ａから抽出する。
【０１０９】
制御部１１（選択表示実行部３４）は、ステップ３０３において、宛先選択ダイアログ１０８を表示する。宛先選択ダイアログ１０８を構成する宛先候補１０８ａには、画像１
０２に含まれる人物に係るパスキーだけでなく、画像１０２の最も中央に近い人物との間で送受信された電子メールに宛先として多く含まれる人物に係るパスキーが含まれる。
【０１１０】
本変更例によれば、上記実施の形態と同様、人物が含まれる画像に基づいて有益な宛先情報が、宛先候補としてユーザに自動的に提供されるので、ユーザは、宛先候補の中から所望の人物の宛先情報を選択することにより、所望の人物へ簡易に画像を送信することが可能となる。
【０１１１】
＜変更例２＞
変更例２では、画像１０２に含まれる人物と電話帳テーブル１２ａにおいて同じグループに属する人物であり、且つ、ユーザと画像１０２に含まれる人物との間で送受信された電子メールに宛先として含まれることの多い人物が、画像１０２に含まれる人物と所定の関係を有する人物とされ、これら人物に係る宛先情報が第２抽出部３３により抽出される。
【０１１２】
本変更例では、変更例１と同様、記憶部１２にメール履歴テーブル１２ｂが記憶されている。
【０１１３】
図１４（ａ）は、本変更例に係る、メッセージ送信処理を示すフローチャートである。本変更例のメッセージ送信処理では、図６に示すメッセージ送信処理のステップＳ２０２の処理がステップＳ２３２ないしＳ２３４の処理に置き換えられている。その他の処理は、図６に示すメッセージ送信処理と同様である。
【０１１４】
制御部１１（第２抽出部３３）は、画像１０２の最も中央に近い人物と電話帳テーブル１２ａにおいて同じグループに属する人物のメールアドレスを、第１候補として設定する（Ｓ２３２）。さらに、制御部１１（第２抽出部３３）は、メール履歴テーブル１２ｂに記憶された電子メールのうち、ユーザと画像１０２の最も中央に近い人物との間で送受信された電子メールに所定頻度を超える頻度で宛先として含まれる人物に係るメールアドレスを、第２候補として設定する（Ｓ２３３）。そして、制御部１１（第２抽出部３３）は、第１候補と第２候補の双方に含まれるメールアドレスを電話帳テーブル１２ａから抽出する（Ｓ２３４）。
【０１１５】
ステップＳ２０３において表示される宛先選択ダイアログ１０７の宛先候補１０７ａには、画像１０２に含まれる人物に係るメールアドレスだけでなく、画像１０２に含まれる人物と電話帳テーブル１２ａにおいて同じグループに属する人物であり、且つ、ユーザと画像１０２に含まれる人物との間で送受信された電子メールに宛先として含まれることの多い人物に係るメールアドレスが含まれる。
【０１１６】
図１４（ｂ）は、本変更例に係る、ブルートゥース送信処理を示すフローチャートである。本変更例のブルートゥース送信処理では、図８に示すブルートゥース送信処理のステップＳ３０２の処理がステップＳ３３２ないしＳ３３４の処理に置き換えられている。その他の処理は、図８に示すブルートゥース送信処理と同様である。
【０１１７】
制御部１１（第２抽出部３３）は、画像１０２の最も中央に近い人物と電話帳テーブル１２ａにおいて同じグループに属する人物のパスキーを、第１候補として設定する（Ｓ３３２）。さらに、制御部１１（第２抽出部３３）は、メール履歴テーブル１２ｂに記憶された電子メールのうち、ユーザと画像１０２の最も中央に近い人物との間で送受信された電子メールに所定頻度を超える頻度で宛先として含まれる人物に係るパスキーを、第２候補として設定する（Ｓ３３３）。そして、制御部１１（第２抽出部３３）は、第１候補と第２候補の双方に含まれるパスキーを電話帳テーブル１２ａから抽出する（Ｓ３３４）。
【０１１８】
ステップ３０３において表示すされる宛先選択ダイアログ１０８の宛先候補１０８ａには、画像１０２に含まれる人物に係るパスキーだけでなく、画像１０２に含まれる人物と電話帳テーブル１２ａにおいて同じグループに属する人物であり、且つ、ユーザと画像１０２に含まれる人物との間で送受信された電子メールに宛先として含まれることの多い人物に係るパスキーが含まれる。
【０１１９】
本変更例によれば、画像１０２に含まれる人物に深く関係する人物に係る宛先情報を宛先候補としてユーザに提供できる。
【０１２０】
＜変更例３＞
変更例３では、画像１０２に含まれる人物と電話帳テーブル１２ａにおいて同じグループに属する人物、または、ユーザと画像１０２に含まれる人物との間で送受信された電子メールに宛先として含まれることの多い人物が、画像１０２に含まれる人物と所定の関係を有する人物とされ、これら人物に係る宛先情報が第２抽出部３３により抽出される。
【０１２１】
本変更例では、変更例１と同様、記憶部１２にメール履歴テーブル１２ｂが記憶されている。
【０１２２】
図１５（ａ）は、本変更例に係る、メッセージ送信処理を示すフローチャートである。本変更例では、変更例２のステップＳ２３４の処理に替えて、ステップ２４４の処理が実行され、第１候補または第２候補に含まれるメールアドレスが、制御部１１（第２抽出部３３）により、電話帳テーブル１２ａから抽出される。
【０１２３】
ステップ２０３において表示される宛先選択ダイアログ１０７の宛先候補１０７ａには、画像１０２に含まれる人物に係るメールアドレスだけでなく、画像１０２に含まれる人物と電話帳テーブル１２ａにおいて同じグループに属する人物、または、ユーザと画像１０２に含まれる人物との間で送受信された電子メールに宛先として含まれることの多い人物に係るメールアドレスが含まれる。
【０１２４】
図１５（ｂ）は、本変更例に係る、ブルートゥース送信処理を示すフローチャートである。本変更例では、変更例２のステップＳ３３４の処理に替えて、ステップ３４４の処理が実行され、第１候補または第２候補に含まれるパスキーが、制御部１１（第２抽出部３３）により、電話帳テーブル１２ａから抽出される。
【０１２５】
ステップ３０３において表示される宛先選択ダイアログ１０８の宛先候補１０８ａには、画像１０２に含まれる人物に係るパスキーだけでなく、画像１０２に含まれる人物と電話帳テーブル１２ａにおいて同じグループに属する人物、または、ユーザと画像１０２に含まれる人物との間で送受信された電子メールに宛先として含まれることの多い人物に係るパスキーが含まれる。
【０１２６】
本変更例によれば、画像１０２に含まれる人物に広く関係する人物に係る宛先情報を宛先候補としてユーザに提供できる。
【０１２７】
＜その他＞
以上、本発明の実施の形態について説明したが、本発明は、上記実施の形態によって何ら制限されるものではなく、また、本発明の実施の形態も、上記以外に種々の変更が可能である。
【０１２８】
たとえば、上記実施の形態および変更例１ないし変更例３では、画像１０２の最も中央
に近い人物との間に所定の関係を有する人物に係る宛先情報（メールアドレス、パスキー）が電話帳テーブル１２ａから抽出される。しかしながら、画像１０２の中央の人物に限らず、他の位置の人物あるいは全ての人物との間に所定の関係を有する人物に係る宛先情報が電話帳テーブル１２ａから抽出されてもよい。
【０１２９】
さらに、上記実施の形態では、一覧画面から選択された画像１０２の送信に電子メールが利用され、第１抽出部３２および第２抽出部３３により電話帳テーブル１２ａからメールアドレスが抽出されるとともに、送信処理実行部３５により電子メールのメール作成画面が表示される。しかしながら、電子メールに替えて、ＳＭＳ（Short Message Service）が利用されてもよい。この場合、第１抽出部３２および第２抽出部３３により電話帳テーブル１２ａから電話番号が抽出されるとともに、送信処理実行部３５によりＳＭＳのメール作成画面が表示される。
【０１３０】
さらに、制御部１１は、画像１０２に含まれる人物や所定の関係を有する人物のメールアドレスが電話帳テーブル１２ａに登録されている場合、メールアドレスを抽出して電子メールのメール作成画面を表示面３に表示させ、メールアドレスが登録されていない場合には、電話番号を抽出してＳＭＳのメール作成画面を表示面３に表示させてもよい。反対に、制御部１１は、画像１０２に含まれる人物や所定の関係を有する人物の電話番号が電話帳テーブル１２ａに登録されている場合、電話番号を抽出してＳＭＳのメール作成画面を表示面３に表示させ、電話番号が登録されていない場合には、メールアドレスを抽出して電子メールのメール作成画面を表示面３に表示させてもよい。
【０１３１】
さらに、上記実施の形態では、近距離無線通信としてブルートゥースによる通信が採用されている。しかしながら、たとえば、赤外線通信等、他の近距離無線通信が採用されてもよい。たとえば、赤外線通信が採用される場合、電話帳テーブル１２ａには、赤外線通信の通信先の機器（携帯電話機）を特定するための認証番号が宛先情報として登録される。
【０１３２】
さらに、上記実施の形態では、制御部１１は、選択画面として、宛先選択ダイアログ１０７が重ねられた閲覧画面を表示面３に表示させる。しかしながら、制御部１１は、選択画面として、宛先候補の一覧からなる画面を、閲覧画面に替わって表示面３に表示させてもよい。
【０１３３】
さらに、上記実施の形態では、マスター画像が電話帳テーブル１２ａに記憶されており、制御部１１が、マスター画像に含まれる顔画像からパラメータを抽出する。しかしながら、マスター画像に含まれる顔画像から抽出されたパラメータが電話帳テーブル１２ａに登録されていてもよい。この場合、マッチングを行う際、制御部１１は、電話帳テーブル１２ａからパラメータを取得する。
【０１３４】
上記実施の形態では、人物情報および宛先情報を含む連絡先情報は、携帯電話機１の記憶部１２に記憶されていることとしたが、サーバーなどの外部記憶部に記憶されることとしてもよい。
【０１３５】
本発明は、携帯電話機に限らず、ＰＤＡ（Personal DigitalAssistant）、タブレットＰＣ（Tablet PC）等の各種の携帯端末装置に適用可能である。
【０１３６】
この他、本発明の実施形態は、特許請求の範囲に示された技術的思想の範囲内において、適宜、種々の変更が可能である。
【符号の説明】
【０１３７】
１１  制御部
１２  記憶部
１２ａ  電話帳テーブル
１２ｂ  メール履歴テーブル
１３  表示部
１９  通信部
１９ａ  近距離通信部
３１  取得部
３２  第１抽出部
３３  第２抽出部
３４  選択表示実行部
３５  送信処理実行部
【図１】
2014165664.tif 000003
【図２】
2014165664.tif 000004
【図３】
2014165664.tif 000005
【図４】
2014165664.tif 000006
【図５】
2014165664.tif 000007
【図６】
2014165664.tif 000008
【図７】
2014165664.tif 000009
【図８】
2014165664.tif 000010
【図９】
2014165664.tif 000011
【図１０】
2014165664.tif 000012
【図１１】
2014165664.tif 000013
【図１２】
2014165664.tif 000014
【図１３】
2014165664.tif 000015
【図１４】
2014165664.tif 000016
【図１５】
2014165664.tif 000017